(57)【要約】      （修正有）【課題】信号の伝送に伴い発生する不要輻射を低減する、映像信号伝送回路、表示装置及びテレビジョン受像機を提供する。【解決手段】ＩＣ同士を接続するケーブル等からの不要輻射を低減するために、表示部に映像信号を出力するための映像信号伝送回路８では、映像信号を構成する８ビットＤ（０）〜Ｄ（７）のうち、表示部が表示する映像に寄与しない固定値が付与された無効ビットＤ（６）、Ｄ（７）の値を、非固定値に変換するスクランブラー３２を備える構成とする。【選択図】図１
2017175460.tif 000002
【特許請求の範囲】
【請求項１】
映像を表示する表示部に映像信号を出力するための映像信号伝送回路であって、
上記映像信号を構成するビットのうち、上記表示部が表示する映像に寄与しない固定値が付与された無効ビットの値を、非固定値に変換する変換部を備えていることを特徴とする映像信号伝送回路。
【請求項２】
上記変換部から入力された、上記非固定値に変換された無効ビットを含むパラレルの映像信号をシリアルの映像信号へ変換する並直列変換部と、
上記並直列変換部から入力されたシリアルの映像信号をパラレルの映像信号へ変換する直並列変換部とを備えていることを特徴とする請求項１に記載の映像信号伝送回路。
【請求項３】
上記無効ビットは、上記並直列変換部が、パラレルの映像信号をシリアルの映像信号へ変換することにより発生するドントケアビットであることを特徴とする請求項２に記載の映像信号伝送回路。
【請求項４】
上記表示部は、第１モードの映像と、第２モードの映像と表示可能であり、
上記無効ビットは、上記表示部が上記第１モードの映像を表示している際に、当該表示部が上記第２モードの映像を表示するために必要な情報が付与されたビットであることを特徴とする請求項１又は２に記載の映像信号伝送回路。
【請求項５】
上記変換部は、上記非固定値として、上記表示部が表示する上記映像とは無関係な値に変換することを特徴とする請求項１〜４の何れか１項に記載の映像信号伝送回路。
【請求項６】
上記変換部は、上記非固定値として、上記表示部が表示する映像に寄与する値が付与されたビットの値に変換することを特徴とする請求項１〜４の何れか１項に記載の映像信号伝送回路。
【請求項７】
上記表示部は、上記映像信号を構成するビット毎に、固定値に設定するか、上記表示部が表示する上記映像とは無関係な値に設定するか、上記表示部が表示する映像に寄与する値が付与された他のビットの値に設定するかをユーザに選択させる選択画面を表示し、
上記変換部は、上記選択画面から入力された上記ユーザからの指示に基づいて、上記ビットの値を変換することを特徴とする請求項１〜６の何れか１項に記載の映像信号伝送回路。
【請求項８】
請求項２に記載の映像信号伝送回路を備え、
上記並直列変換部はタイミングコントローラであり、上記直並列変換部はソースドライバであることを特徴とする表示装置。
【請求項９】
請求項８に記載の表示装置を備えていることを特徴とするテレビジョン受像機。
【発明の詳細な説明】
【技術分野】
【０００１】
本発明は映像信号伝送回路、表示装置、及び、テレビジョン受像機に関する。
【背景技術】
【０００２】
近年、映像を表示する表示装置の高品位化が進んでおり、当該表示装置が取り扱うデータ量も大きくなっている。これに伴い、表示装置において、表示パネルへ映像信号を出力する回路基板に実装されたＩＣ間を伝送されるデータ量が増え、また、表示パネルや、各ＩＣを動作させるクロックの高速化も進んでいる。
【先行技術文献】
【特許文献】
【０００３】
【特許文献１】特開平１０‐３０７５５８号公報（１９９８年１１月１７日公開）
【発明の概要】
【発明が解決しようとする課題】
【０００４】
このため、上記回路基板において、ＩＣ同士を接続するケーブル等から、不要輻射の強度が大きくなっている。本発明は、前記の問題点に鑑みてなされたものであり、その目的は、信号の伝送に伴い発生する不要輻射を低減することにある。
【課題を解決するための手段】
【０００５】
上記の課題を解決するために、本発明の一態様に係る映像信号伝送回路は、映像を表示する表示部に映像信号を出力するための映像信号伝送回路であって、上記映像信号を構成するビットのうち、上記表示部が表示する映像に寄与しない固定値が付与された無効ビットの値を、非固定値に変換する変換部を備えていることを特徴とする。
【発明の効果】
【０００６】
本発明の一態様によれば、信号の伝送に伴い発生する不要輻射を低減するという効果を奏する。
【図面の簡単な説明】
【０００７】
【図１】本発明の実施形態１に係る映像信号伝送回路の構成を表す図である。
【図２】本発明の実施形態１に係る表示装置の構成を表すブロック図である。
【図３】本発明の実施形態１に係る映像信号伝送回路の映像信号を表す図である。
【図４】本発明の実施形態１に係る映像信号伝送回路の映像信号による周波数毎のノイズの強度を測定した結果を表す図である。
【図５】本発明の実施形態２に係る映像信号伝送回路の構成を表す図である。
【図６】本発明の実施形態２に係る映像信号伝送回路の映像信号における周波数毎のノイズの強度を測定した結果を表す図である。
【図７】本発明の実施形態３に係る映像信号伝送回路の構成を表す図である。
【図８】本発明の実施形態４に係る映像信号伝送回路の構成を表す図である。
【図９】本発明の実施形態５に係る映像信号伝送回路の表示部の表示画像を表す図である。
【図１０】本発明の実施形態６に係る映像信号伝送回路の構成を表す図である。
【図１１】本発明の実施形態６に係る映像信号伝送回路における３Ｄ映像用の映像信号を表す図である。
【図１２】本発明の実施形態６に係る映像信号伝送回路における映像信号の構成を表す図である。
【図１３】本発明の実施形態７に係る表示装置の構成を表す図である。
【図１４】本発明の実施形態１に係る表示装置を用いたテレビジョン受像機の外観を表す図である。
【発明を実施するための形態】
【０００８】
〔実施形態１〕
（表示装置１及びテレビジョン受像機の構成）
図２は本発明の実施形態１に係る表示装置１の構成を表すブロック図である。図２に示すように、表示装置１は、信号切り替え部２と、映像処理部３と、タイミングコントローラ４と、表示パネル５とを有する。表示パネル５は、ソースドライバ５１と、ゲートドライバ５２と、表示部５３とを有する。
【０００９】
信号切り替え部２は、チューナーへの入力用端子２ａ、ＨＤＭＩ（登録商標）ケーブル接続用端子２ｂ、ＬＡＮケーブル接続用端子２ｃなどの各端子を通して入力される映像信号を映像処理部３へ出力する。映像処理部３はスクランブラー３２を有する。映像処理部３はスクランブラー３２を介して、表示パネル５にて映像を表示させるために必要な処理を施した映像信号Ｓ１を生成する。映像処理部３は、パラレルである映像信号Ｓ１を、スクランブラー３２を介してタイミングコントローラ４へ出力する。映像処理部３は、パラレルの映像信号を構成するビットのうち、表示部５が表示する映像に寄与しない無効ビットに固定値を付与する。一例として無効ビットはドントケアビットであり、固定値は「０」の値である。ドントケアビットは、パラレルである映像信号をシリアルへ変換し、当該シリアルへ変換した映像信号を伝送することに伴い発生する。ドントケアビットは、回路間を接続するケーブルの規格によって定められる伝送単位と、ひとまとまりとして当該ケーブルに伝送させる信号のビット数とによって決まる。映像処理部３には、１フレームの映像信号のうちドントケアビットを特定するための情報が予め記憶されており、当該情報に基づいて特定したドントケアビットに固定値として「０」の値を付す。
【００１０】
タイミングコントローラ４は、パラレルである映像信号Ｓ１を、シリアルである映像信号Ｓ２へ変換してソースドライバ５１へ出力する。映像信号Ｓ２は、データスタートパルス、及び、データクロック等である。また、タイミングコントローラ４は、併せて、映像信号Ｓ１から、ゲートスタートパルス、ゲートクロック等の映像信号を生成し、当該映像信号をゲートドライバ５２へ出力する。タイミングコントローラ４と、表示パネル５とを接続するケーブルとしては、例えば、ｍｉｎｉＬＶＤＳ等を用いることができる。
【００１１】
ソースドライバ５１は、タイミングコントローラ４から入力されたシリアルである映像信号Ｓ２をパラレルの映像信号へ変換し、当該変換したパラレルの映像信号であるデータスタートパルス、及び、データクロック等を表示部５３へ出力する。ゲートドライバ５２は、タイミングコントローラ４から入力された、ゲートスタートパルス、ゲートクロック等の映像信号を表示部５３へ出力する。表示部５３はマトリクス状に配置された画素を有する。ソースドライバ５１及びゲートドライバ５２それぞれから各画素に映像信号が入力され、各画素は、当該入力された映像信号に基づいて駆動する。これにより、表示部５３は、ソースドライバ５１及びゲートドライバ５２それぞれから入力された映像信号に基づいて映像を表示する。
【００１２】
図１４は、本発明の実施形態１に係る表示装置１を用いたテレビジョン受像機９の外観を表す図である。
【００１３】
（映像信号伝送回路８）
図１は、本発明の実施形態１に係る映像信号伝送回路８の構成を表す図である。図１に示すように、映像信号伝送回路８は、スクランブラー（変換部）３２と、シリアライザ（並直列変換部）４０と、デシリアライザ（直並列変換部）５０とを有する。シリアライザ４０はタイミングコントローラ４（図２参照）に対応し、デシリアライザ５０はソースドライバ５に対応する。
【００１４】
スクランブラー３２は特定部３３とランダムノイズ生成部３４とを有する。スクランブラー３２は、映像処理部３が生成したパラレルの映像信号を構成するビットのうち、表示部５が表示する映像に寄与しないドントケアビットの値をランダムな値に変換する。例えば、スクランブラー３２には、１フレームあたり８ビットの映像信号が入力される。図１に示す信号Ｄ（０）〜Ｄ（７）は８ビットそれぞれに付された値である。信号Ｄ（０）は下位ビット（ビット０）であり、Ｄ（７）は上位ビット（ビット７）である。図１に示す例では、信号Ｄ（０）〜Ｄ（５）は、表示部５が表示する映像に基づいた値が付されている。一方、ビット６・７はドントケアビットであるため、表示部５が表示する映像に関わらず映像処理部３によって、信号Ｄ（６）・Ｄ（７）に固定値「０」が付されている。なお、ドントケアビットは、ビット６・７に固定されているものではなく、映像のフレームごとに発生するビットは異なる。
【００１５】
特定部３３は、映像処理部３に予め記憶された情報に基づいてドントケアビットの位置（例えばビット６・７）を特定する。ランダムノイズ生成部３４は、特定部３３が特定したドットケアビットにランダムな値を付し、当該ランダムな値をシリアライザ４０へ出力する。図１の例では、ランダムノイズ生成部３４は、固定値「０」が付されていたビット６・７それぞれにランダムな値Ｘ１・Ｘ２を付す。値Ｘ１・Ｘ２は、表示部５が表示する映像とは無関係な値である。また、値Ｘ１・Ｘ２は、ドントケアビット毎に値が変わるため、固定値ではなく非固定値である。このように、ランダムノイズ生成部３４は、ドントケアビットの値をランダムな値Ｘ１・Ｘ２（非固定値）に変換するため、ドントケアビットの値を「０」のままとする場合と比べて、映像信号を伝送する際に発生する不要輻射を低減することができる。
【００１６】
シリアライザ４０は、スクランブラー３２から入力されたパラレルの映像信号をシリアルの映像信号へ変換し、当該シリアルの映像信号をデシリアライザ５０へ出力する。シリアライザ４０は、パラレルの映像信号にドントケアビットが含まれている場合、当該ドントケアビットも含めてシリアルの映像信号へ変換する。当該ドントケアビットには、ランダムノイズ生成部３４によってランダムな値が付されている。
【００１７】
このため、シリアライザ４０がシリアルの映像信号を伝送する際に、当該シリアルの映像信号に含まれるドントケアビットの値が、「０」（固定値）ではなくランダムな値（非固定値）となる。これにより、シリアルの映像信号の伝送に伴う不要輻射を低減することができる。一例として、シリアライザ４０と、デシリアライザ５０とを接続するケーブルとして、ｍｉｎｉＬＶＤＳを用いることができる。
【００１８】
デシリアライザ５０は、シリアライザ４０と接続されたケーブルを通してシリアライザ４０からシリアルの映像信号が入力されると、当該シリアルの映像信号をパラレルの映像信号へ変換し、当該パラレルの映像信号を次段の回路である表示部５へ出力する。
【００１９】
図１に示す例では、デシリアライザ５０は、シリアルの映像信号を、８ビットのパラレルな映像信号へ変換している。当該８ビットのうち、ビット１〜ビット６には信号Ｄ（０）〜Ｄ（５）が付されており、表示部５へ出力する。ビット６・７は、ドントケアビットであるため、デシリアライザ５０は表示部５へは出力せず使用しない。
【００２０】
（映像信号Ｓ２の例）
図３は、映像信号Ｓ２の一例を表す図である。図３に示す「ＣＬＫ」はデータクロック、ＤＡＴＥ０〜ＤＡＴＥ３はｍｉｎｉＬＶＤＳのバスラインである。一例として、ＤＡＴＥ０〜ＤＡＴＥ３それぞれにおいて、８ビットの映像信号を１０ビットをひとまとまりとして伝送する。図３では、ＤＡＴＥ３のバスラインにおいてドントケアビットＤＣが発生している。ドントケアビットＤＣには、ランダムノイズ生成部３４によって、固定値「０」ではなくランダムな値Ｘ１・Ｘ２が付されている。ドントケアビットＤＣ以外のビットには、表示部５が表示する映像に基づいた値が付与されている。
【００２１】
（ドントケアビットにランダムな値を付した実験結果）
図４は、映像信号Ｓ２による周波数毎のノイズの強度を測定した結果を表す図であり、（ａ）はドントケアビットに固定値「０」を付したままの場合の結果を表す図であり、（ｂ）はドントケアビットに固定値「０」ではなくランダムな値Ｘ１・Ｘ２を付した場合の結果を表す図である。
【００２２】
図４の（ａ）に示すように、ドントケアビットが固定値「０」のままだと、５４ＭＨｚにおいて−２４ｄＢ（円Ａ１参照）、１０８ＭＨｚにおいて−２７．２ｄＢ（円Ａ２参照）と、５４ＭＨｚおきに、他の周波数におけるノイズと比べて高いノイズが発生していることが分かる。図４の（ｂ）に示すように、ドントケアビットを固定値ではなくランダムな値とすると、５４ＭＨｚにおいて−４５．１ｄＢ（円Ａ３参照）、１０８ＭＨｚにおいて−３８．９ｄＢ（円Ａ４参照）となり、他の周波数におけるノイズと同等程度までノイズの強度が下がっている。５４ＭＨｚにおいては、‐２４．３ｄＢから−４５．１ｄＢとなり、２０．８ｄＢ分ノイズが改善された。また、１０８ＭＨｚにおいては、−２７．２ｄＢから−３８．９ｄＢへと１１．７ｄＢ分ノイズが改善された。
【００２３】
このように、ドントケアビットの値を、映像に関わらず固定値に設定するよりも、ランダムな値に設定した方が、映像信号Ｓ２を伝送する際のノイズが少なく、不要輻射が低減されることが分かった。
【００２４】
〔実施形態２〕
図５は、本発明の実施形態２に係る映像信号伝送回路８Ａの構成を表す図である。映像信号伝送回路８Ａは、映像信号伝送回路８（図１参照）のうち、スクランブラー３２をスクランブラー３２Ａへ変更した構成である。映像信号伝送回路８Ａの他の構成は映像信号伝送回路８と同様である。図５に示すように、スクランブラー３２Ａは、固定値「０」が付されていたビット６・７それぞれに、ドントケアビットではないビット５の値Ｄ（５）を付す。値Ｄ（５）は、フレーム毎に値が変わるため、固定値ではなく非固定値である。
【００２５】
図６は、映像信号Ｓ２における周波数毎のノイズの強度を測定した結果を表す図であり、（ａ）はドントケアビットに「０」を付したままの場合の結果を表す図であり、（ｂ）はドントケアビットに「０」ではなく表示部５が表示する映像に寄与する値Ｄ（５）を付した場合の結果を表す図である。図６の（ａ）に示すように、ドントケアビットが固定値「０」のままだと、５４ＭＨｚにおいて−２４ｄＢ（円Ａ５参照）、１０８ＭＨｚにおいて−２７．２ｄＢ（円Ａ６参照）と、５４ＭＨｚおきに他の周波数におけるノイズと比べて高いノイズが発生していることが分かる。図６の（ｂ）に示すように、ドントケアビットを固定値ではなく値Ｄ（５）とすると、５４ＭＨｚにおいて−４５．５ｄＢ（円Ａ７参照）、１０８ＭＨｚにおいて−３９．０ｄＢ（円Ａ８参照）となり、他の周波数におけるノイズと同等程度までノイズの強度が下がっている。５４ＭＨｚにおいては、−２４．３ｄＢから−４５．５ｄＢとなり、２１．２ｄＢ分ノイズが改善された。また、１０８ＭＨｚにおいては、−２７．２ｄＢから−３９．０ｄＢへと１１．８ｄＢ分ノイズが改善された。このように、ドントケアビットの値を、映像に関わらず固定値に設定するよりも、ドントケアビット以外のビットの値に設定した方が、映像信号Ｓ２を伝送する際のノイズが少なく、不要輻射が低減されることが分かった。
【００２６】
〔実施形態３〕
図７は、本発明の実施形態３に係る映像信号伝送回路８Ｂの構成を表す図である。映像信号伝送回路８Ｂは、映像信号伝送回路８（図１参照）のうち、スクランブラー３２をスクランブラー３２Ｂへ変更した構成である。映像信号伝送回路８Ｂの他の構成は映像信号伝送回路８と同様である。
【００２７】
スクランブラー３２Ｂはランダムノイズ生成部３４Ｂを有する。図７に示すように、ランダムノイズ生成部３４Ｂは、映像処理部３が生成した８ビットの映像信号のうち常に下位ビットであるビット０・１にランダムな値Ｘ１・Ｘ２を付す。デシリアライザ５０は、ビット０・１の値としてランダムな値Ｘ１・Ｘ２を出力し、ビット２〜７には値Ｄ（２）〜Ｄ（７）を出力する。このように、映像信号を構成するビットのうち、特定のビットにランダムな値を入れることによっても、不要輻射を低減することができる。特に、ビット８・７など上位ビットと比べて、ビット０・１などの下位ビットは、映像信号によって表示される映像に与える影響も少ない。このため、下位ビットにランダムな値Ｘ１・Ｘ２を付すことにより、画質の品質劣化を防止しつつ不要輻射の低減を実現することができる。
【００２８】
〔実施形態４〕
図８は、本発明の実施形態４に係る映像信号伝送回路８Ｃの構成を表す図である。映像信号伝送回路８Ｃは、映像信号伝送回路８Ｂ（図７参照）のうち、スクランブラー３２Ｂをスクランブラー３２Ｃへ変更した構成である。映像信号伝送回路８Ｃの他の構成は映像信号伝送回路８Ｂと同様である。スクランブラー３２Ｃは、ランダムノイズ生成部３４Ｂに加え、ディザリング部３５を有する。図８に示すように、ディザリング部３５は、ビット０〜２の値Ｄ（０）〜Ｄ（２）にディザリング処理を加え、当該ディザリング処理後の値Ｄ（２）’をビット２の値としてシリアライザ４０へ入力する。ランダムノイズ生成部３４Ｂは、ビット０・１にランダムな値Ｘ１・Ｘ２を付して当該値Ｘ１・Ｘ２をビット０・１の値としてシリアライザ４０へ出力する。デシリアライザ５０は、ビット０・１は値Ｘ１・Ｘ２、ビット２は値Ｄ（２）、ビット３〜７は値Ｄ（３）〜Ｄ（７）を出力する。このように、ディザリング処理を加えることで、映像における輝度変化が少なくなる。これにより、画質の品質劣化を防止しつつ、不要輻射の低減を実現することができる。
【００２９】
〔実施形態５〕
図９は、本発明の実施形態５に係る映像信号伝送回路の表示部５３の表示画像を表す図である。上述のようにビット操作を行うことで、不要輻射のレベルを下げることができる。しかし、データ線のハイ（Ｈ）とロウ（Ｌ）の変化量は増大する。すると、映像信号を伝送する電力量も増大することになる。映像信号伝送回路において、操作するビット数が増えると、映像信号の伝送に要する電力量も増大することになる。
【００３０】
そこで、本実施形態の表示部５３は、映像信号を構成するビット毎に、（１）固定値に設定するか、（２）表示部５３が表示する映像とは無関係な値に設定するか、（３）表示部５３が表示する映像に寄与する値が付与された他のビットの値に設定するかをユーザに選択させる選択画面を表示する。図９に示す例では、表示部５３は、ビット１・２のビット操作方法として、（１）Ｌの値で固定するか（２）ランダムな値にするか（３）他の何れかのビットと同じ値にするか、をユーザに選択させる選択画面を表示している。
【００３１】
そして、スクランブラー３２（図１参照）は、表示部５３が表示した上記選択画面から入力されたユーザからの指示に基づいて、上記ビットの値を変換する。これにより、消費電力の増大を抑制しつつ、不要輻射を低減することができる。
【００３２】
〔実施形態６〕
図１０は、本発明の実施形態６に係る映像信号伝送回路８Ｄの構成を表す図である。映像信号伝送回路８Ｄが用いられる表示装置は、第１モードの映像と、第２モードの映像とを表示可能である。第１モードとは、例えば、２Ｄ映像を表示するモードである。第２モードとは例えば、３Ｄ映像を表示するモードである。映像信号伝送回路８Ｄは、映像信号伝送回路８（図１参照）のうち、スクランブラー３２をスクランブラー３２Ｄへ変更した構成である。スクランブラー３２Ｄはランダムノイズ生成部３４Ｄと信号選択部３６とを有する。
【００３３】
図１０に示すように、ビット６に３Ｄ映像用フラグＦが付されている。３Ｄ映像用フラグＦは、左目用の映像信号か右目用の映像信号かを判定するための値である。３Ｄ映像用フラグＦは、表示部５３が３Ｄ映像を表示している際には必要な情報であるが、表示部５３が２Ｄ映像を表示している際には不要な情報であるため、無効ビットとなる。信号選択部３６は、第１モードのときは３Ｄ映像用フラグＦをビット６の値としてシリアライザ４０へ出力する。そして、デシリアライザ５０は３Ｄ映像用フラグＦを出力する。
【００３４】
一方、第２モードのときは、ランダムノイズ生成部３４Ｄはビット６に３Ｄ映像用フラグＦに換えてランダムな値を付す。そして、信号選択部３６はビット６の値としてランダムな値をシリアライザ４０へ出力する。デシリアライザ５０は３Ｄ映像用フラグＦは出力しない。
【００３５】
図１１は、３Ｄ映像用の映像信号を表す図である。３Ｄ映像用の映像信号は、主に、垂直同期信号Ｖｓｙｎと、画素の値である画像データ、３Ｄ映像用フラグＦとを含む。図１１の例では、３Ｄ映像用フラグＦは、左目用の映像信号を表すときはハイ（Ｈ）であり、右目用の映像信号を表すときはロウ（Ｌ）となっている。図１２は、シリアライザ４０から出力される映像信号ＳＤの構成を表す図である。ＤＡＴＥ３において３Ｄ映像用フラグＦが２ビット分だけ付されている。この３Ｄ映像用フラグＦがふされたビットは、２Ｄ映像を表示する際には不要な情報が付された無効ビットである。
【００３６】
〔実施形態７〕
図１３は、本発明の実施形態７に係る表示装置１Ｅの構成を表す図である。表示装置１Ｅは、表示装置１（図２参照）の構成に加え、制御部６を備えている。また、映像処理部３は、スクランブラー３２Ｅを備えている。表示装置１Ｅは、例えば、図９に示した表示部５３の選択画面を通じて変更されたビット操作の内容変更を、他の回路の動きに連動させる。例えば、他の回路の不要輻射量が大きくなる場合には、ビットの値を変化させ、不要輻射量が小さい場合は、ビット変化を停止する。
【００３７】
制御部６は、例えば、信号切り替え部２が、入力用端子２ａを介してチューナーからの映像信号を出力している場合、不要輻射が大きいため、制御部６は、スクランブラー３２Ｅに、ビット変化をさせる。一方、信号切り替え部２が、入力用端子２ａ以外の端子からの映像信号を出力している場合、不要輻射が小さいため、制御部６は、スクランブラー３２Ｅに、ビット変化を停止させる。これにより、不要輻射量が大きく、必要なときだけビット変化させるため、消費電力が増大することを抑制することができる。
【００３８】
〔まとめ〕
本発明の態様１に係る映像信号伝送回路８は、映像を表示する表示部５に映像信号を出力するための映像信号伝送回路８であって、上記映像信号を構成するビットのうち、上記表示部５が表示する映像に寄与しない固定値が付与された無効ビットの値を、非固定値に変換する変換部（スクランブラー３２）を備えていることを特徴とする。上記構成によると、上記変換部は、上記無効ビットの値を非固定値に変換するため、当該無効ビットの値を固定値とする場合と比べて、上記映像信号を伝送する際に発生する不要輻射を低減することができる。
【００３９】
本発明の態様２に係る映像信号伝送回路８は、上記態様１において、上記変換部（スクランブラー３２）から入力された、上記非固定値に変換された無効ビットを含むパラレルの映像信号をシリアルの映像信号Ｓ２へ変換する並直列変換部（シリアライザ４０）と、上記並直列変換部（シリアライザ４０）から入力されたシリアルの映像信号をパラレルの映像信号へ変換する直並列変換部（デシリアライザ５０）とを備えていてもよい。
【００４０】
本発明の態様３に係る映像信号伝送回路８は、上記態様２において、上記無効ビットは、上記並直列変換部が、パラレルの映像信号をシリアルの映像信号へ変換することにより発生するドントケアビットであってもよい。また、本発明の態様４に係る映像信号伝送回路８Ｄは、上記態様１又は２において、上記表示部５３は、第１モードの映像と、第２モードの映像とを表示可能であり、上記無効ビットは、上記表示部５３が上記第１モードの映像を表示している際に、当該表示部５３が上記第２モードの映像を表示するために必要な情報が付与されたビットであってもよい。
【００４１】
本発明の態様５に係る映像信号伝送回路８は、上記態様１〜４において、変換部（スクランブラー３２）上記非固定値として、上記表示部が表示する上記映像とは無関係な値に変換してもよい。本発明の態様６に係る映像信号伝送回路８は、上記態様１〜４において、上記変換部（スクランブラー３２Ａ）は、上記非固定値として、上記表示部５３が表示する映像に寄与する値が付与されたビットの値に変換してもよい。
【００４２】
本発明の態様７に係る映像信号伝送回路８は、上記態様１〜６において、上記表示部５３は、上記映像信号を構成するビット毎に、固定値に設定するか、上記表示部５３が表示する上記映像とは無関係な値に設定するか、上記表示部が表示する映像に寄与する値が付与された他のビットの値に設定するかをユーザに選択させる選択画面を表示し、上記変換部（スクランブラー３２）は、上記選択画面から入力された上記ユーザからの指示に基づいて、上記ビットの値を変換してもよい。上記構成により、消費電力の増大を抑制しつつ、不要輻射を低減することができる。
【００４３】
本発明の態様８に係る表示装置１は、上記映像信号伝送回路を備え、上記並直列変換部はタイミングコントローラであり、上記直並列変換部はソースドライバであってもよい。本発明の態様９に係るテレビジョン受像機９は上記表示装置１を備えていてもよい。
【００４４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００４５】
１・１Ｅ  表示装置、３  映像処理部、４  タイミングコントローラ、５１  ソースドライバー、５  表示パネル、５３  表示部、８・８Ａ〜８Ｄ  映像信号伝送回路、９  テレビジョン受像機
【図１】
2017175460.tif 000003
【図２】
2017175460.tif 000004
【図３】
2017175460.tif 000005
【図４】
2017175460.tif 000006
【図５】
2017175460.tif 000007
【図６】
2017175460.tif 000008
【図７】
2017175460.tif 000009
【図８】
2017175460.tif 000010
【図９】
2017175460.tif 000011
【図１０】
2017175460.tif 000012
【図１１】
2017175460.tif 000013
【図１２】
2017175460.tif 000014
【図１３】
2017175460.tif 000015
【図１４】
2017175460.tif 000016